【手続補正書】
【提出日】平成23年9月7日(2011.9.7)
【手続補正１】
【補正対象書類名】特許請求の範囲
【補正対象項目名】請求項１０
【補正方法】変更
【補正の内容】
【請求項１０】
画像入力装置と画像データの配信処理を管理する配信管理装置とがネットワークを介して接続された配信管理システムで実行される配信管理方法であって、
前記配信管理装置は、記憶手段、データアクセス手段、フロー実行制御手段、第１の通信手段を備え、前記画像入力装置は、操作表示手段、表示制御手段、第２の通信手段を備え、
前記画像入力装置の表示制御手段が、前記画像データに対する配信処理の流れを定義した配信フローの一覧を記憶する前記配信管理装置の記憶手段から前記第１および第２の通信手段を介して前記配信フローの一覧を取得する工程と、
前記画像入力装置の表示制御手段が、前記配信管理装置のデータアクセス手段に対して前記ネットワーク上に存在する取得可能な画像データの情報収集を前記第１および第２の通信手段を介して依頼する工程と、
前記配信管理装置のデータアクセス手段が、前記ネットワーク上に存在する取得可能な画像データの情報を前記第１の通信手段を介して収集すると共に、該収集された画像データの情報の中から選択された対象画像データを取得する工程と、
前記画像入力装置の表示制御手段が、前記配信管理装置のデータアクセス手段により収集された取得可能な画像データの情報を前記第１および第２の通信手段を介して取得し、前記配信フローの一覧と前記取得可能な画像データの情報とを選択できるように、前記画像入力装置の操作表示手段に表示させる工程と、
前記画像入力装置の操作表示手段が、前記画像入力装置の利用者によって選択された配信フローと取得可能な画像データの情報とを前記第１および第２の通信手段を介して前記配信管理装置のフロー実行制御手段に送信する工程と、
前記配信管理装置のフロー実行制御手段が、前記利用者によって選択された情報に基づいて前記データアクセス手段に対し画像データの取得を依頼する工程と、
前記配信管理装置のフロー実行制御手段が、前記利用者によって選択された配信フローに基づいて前記データアクセス手段が取得した画像データの配信処理を実行する工程と、
を含むことを特徴とする配信管理方法。 
【手続補正２】
【補正対象書類名】特許請求の範囲
【補正対象項目名】請求項１１
【補正方法】変更
【補正の内容】
【請求項１１】
請求項１０に記載の配信管理方法における各工程をコンピュータに実行させるためのプログラム。
【手続補正３】
【補正対象書類名】明細書
【補正対象項目名】００１３
【補正方法】変更
【補正の内容】
【００１３】
また、本発明の配信管理方法は、画像入力装置と画像データの配信処理を管理する配信管理装置とがネットワークを介して接続された配信管理システムで実行される配信管理方法であって、前記配信管理装置は、記憶手段、データアクセス手段、フロー実行制御手段、第１の通信手段を備え、前記画像入力装置は、操作表示手段、表示制御手段、第２の通信手段を備え、前記画像入力装置の表示制御手段が、前記画像データに対する配信処理の流れを定義した配信フローの一覧を記憶する前記配信管理装置の記憶手段から前記第１および第２の通信手段を介して前記配信フローの一覧を取得する工程と、前記画像入力装置の表示制御手段が、前記配信管理装置のデータアクセス手段に対して前記ネットワーク上に存在する取得可能な画像データの情報収集を前記第１および第２の通信手段を介して依頼する工程と、前記配信管理装置のデータアクセス手段が、前記ネットワーク上に存在する取得可能な画像データの情報を前記第１の通信手段を介して収集すると共に、該収集された画像データの情報の中から選択された対象画像データを取得する工程と、前記画像入力装置の表示制御手段が、前記配信管理装置のデータアクセス手段により収集された取得可能な画像データの情報を前記第１および第２の通信手段を介して取得し、前記配信フローの一覧と前記取得可能な画像データの情報とを選択できるように、前記画像入力装置の操作表示手段に表示させる工程と、前記画像入力装置の操作表示手段が、前記画像入力装置の利用者によって選択された配信フローと取得可能な画像データの情報とを前記第１および第２の通信手段を介して前記配信管理装置のフロー実行制御手段に送信する工程と、前記配信管理装置のフロー実行制御手段が、前記利用者によって選択された情報に基づいて前記データアクセス手段に対し画像データの取得を依頼する工程と、前記配信管理装置のフロー実行制御手段が、前記利用者によって選択された配信フローに基づいて前記データアクセス手段が取得した画像データの配信処理を実行する工程と、を含むことを特徴とする。
【手続補正４】
【補正対象書類名】明細書
【補正対象項目名】００１４
【補正方法】変更
【補正の内容】
【００１４】
また、本発明は、上記配信管理方法における各工程をコンピュータに実行させるためのプログラムである。
【手続補正５】
【補正対象書類名】明細書
【補正対象項目名】００２４
【補正方法】変更
【補正の内容】
【００２４】
リモート通信部１２は、配信管理サーバ２０との間で各種データをやり取りする送受信制御を行うものである。具体的には、リモート通信部１２は、配信フロー選択画面の要求、選択したフローのフローＩＤの要求、あるいは、スキャンした画像データをサーバ情報格納部１４に登録されているＩＰアドレスの配信管理サーバ２０に対して送信したりする。 
【手続補正６】
【補正対象書類名】明細書
【補正対象項目名】００２９
【補正方法】変更
【補正の内容】
【００２９】
次に、配信管理サーバ２０の詳細について説明する。配信管理サーバ２０は、図２に示すように、第１の通信手段としてのリモート通信部２１、データアクセス手段としてのファイルアクセサ２２、フロー実行制御手段としてのフロー実行部２３、フロー処理コンポーネント部２４、データアクセス部２５、記憶手段としてのデータベース２６、および第１の通信手段としてのリモート通信部２７を主に備えている。そして、ファイルアクセサ２２は、データアクセス手段として利用するプロトコルの種類に応じて、ＳＭＢ２２１、ＨＴＴＰ２２２、ＦＴＰ２２３に分けられる。 
【手続補正７】
【補正対象書類名】明細書
【補正対象項目名】００３０
【補正方法】変更
【補正の内容】
【００３０】
リモート通信部２１は、インターネット５０を介してファイルサーバ３１、ＥＤＭＳ３２、ＳＭＴＰサーバ３３などとの間で各種データをやり取りする送受信制御を行うものである。具体的には、後述する配信管理サーバ２０のファイルアクセサ２２がインターネット５０上に存在するファイルサーバ３１、ＥＤＭＳ３２、ＳＭＴＰサーバ３３などから、アクセス可能なリソースの一覧を取得したり、複合機１０の利用者がその一覧に基づいて指定した配信対象ファイルをファイルアクセサ２２がインターネット５０上から取得したり、取得した配信対象ファイルをフロー実行部２３が配信フローで定義された各種処理を行って外部に配信したりする送受信制御が行われる。
【手続補正８】
【補正対象書類名】明細書
【補正対象項目名】００４６
【補正方法】変更
【補正の内容】
【００４６】
複合機１０の表示制御部１３は、リモート通信部１２および２７を経由して、データアクセス部２５からデータベース２６にアクセスし、データベース２６内の配信フロー一覧を取得して、図３に示すような配信フロー選択画面をオペレーションパネル１１に表示する（ステップＳ１０１）。この時、配信ファイル選択ボタン１１７も画面上に表示する。